(57)【要約】【課題】マトリクス型の表示装置の駆動線を用いる電磁誘導方式の座標入力装置において、表示装置上の位置を指し示すペンなどの位置指示部材の位置検出のＳ／Ｎ比や効率を向上させることである。【解決手段】座標入力装置は、互いに交差するよう配置された複数のＸ駆動線Ｘ1〜Ｘm及び複数のＹ駆動線Ｙ1〜Ｙnを有するマトリクス型の表示装置と、２以上の所定数のＸ駆動線を用いた多重の閉ループ回路及び２以上の所定数のＹ駆動線を用いた多重の閉ループ回路のうち少なくとも一方の回路を選択的に形成する閉ループ形成手段20−23、30−33を備える。表示駆動の際は、駆動回路24、34より駆動信号が駆動線に入力され、センシングの時は、位置指示部材から発生した電磁波により閉ループ回路に発生した誘導電流を順次各閉ループ回路を切り替えて出力して、位置指示部材の座標を検出する。【選択図】  図１
2005352572.tif 000002
【特許請求の範囲】
【請求項１】
互いに交差するよう配置された複数のＸ駆動線及び複数のＹ駆動線を有するマトリクス型の表示装置と、該Ｘ駆動線またはＹ駆動線の少なくとも一端に配置され、所定数のＸ駆動線または所定数のＹ駆動線を切り替え可能に結線して２重以上の閉ループ回路を形成するとともに該閉ループ回路を流れる電流を表示装置の外に導く回路手段と、該表示装置の上に置かれ、表示装置上の位置を指示する部材とを備え、
該位置を指示する部材が、該閉ループ回路との間で電磁誘導を生じる手段を有し、
該回路手段が、該結線を順次切り替えて該閉ループ回路に流れる電流を順次出力することにより、該位置を指示する部材が置かれた表示装置上の位置を検出することを特徴とする座標入力装置。
【請求項２】
前記回路手段は、Ｘ駆動線またはＹ駆動線の一端に配置され、複数のＸ駆動線またはＹ駆動線を選択して２本ずつを結線する回路手段と、Ｘ駆動線またはＹ駆動線の他端に配置され、複数のＸ駆動線またはＹ駆動線を選択して、内の２本を外部端子に導き、残りを２本ずつを結線する回路手段とを含む請求項１に記載の座標入力装置。
【請求項３】
Ｘ駆動線またはＹ駆動線の一端に表示駆動回路が配置され、前記回路手段は、Ｘ駆動線またはＹ駆動線の他端に配置され、複数のＸ駆動線またはＹ駆動線を選択して、内の２本を外部端子に導き、残りを２本ずつを結線する回路手段である請求項１に記載の座標入力装置。
【請求項４】
前記Ｘ駆動線またはＹ駆動線から形成される閉ループが等ピッチで配列されている請求項１乃至３のいずれか１項に記載の座標入力装置。
【請求項５】
前記Ｘ駆動線またはＹ駆動線から形成される閉ループが入れ子構造で配列されている請求項１乃至４のいずれか１項に記載の座標入力装置。
【請求項６】
前記回路手段は、前記表示装置上に形成されている請求項１乃至５のいずれか１項に記載の座標入力装置。
【請求項７】
表示駆動と座標検出駆動を切り替える手段を備えたことを特徴とする請求項１乃至６のいずれかに記載の座標入力装置。
【請求項８】
前記表示装置は、メモリー性を有していることを特徴とする請求項１乃至７のいずれかに記載の座標入力装置。
【請求項９】
前記メモリー性を有した表示パネルが、一対の基板と、少なくとも一方の基板に一対の電極を設けた基板間、もしくは、一対の各基板に少なくとも一つの電極を設けた基板間に配置された帯電泳動粒子と該粒子を分散させている媒質を有することを特徴とする請求項８記載の座標入力装置。
【発明の詳細な説明】
【技術分野】
【０００１】
本発明は、パーソナルコンピューターやワードプロセッサ等に文字や図形などを入力する際に用いる位置検出センサなどとして機能し得る座標入力装置に関する。
【背景技術】
【０００２】
従来の位置検出センサには、電磁波を利用して位置座標を検出するセンサが知られている。このような従来の位置検出センサの一例として、互いに直交するＸ，Ｙの表示駆動線をセンサとして流用・利用したものがある（特許文献１参照）。これを図５に沿って説明する。図中、１は、互いに直交するよう配置された複数のＸ駆動線及び複数のＹ駆動線を有するアクティブマトリクス型の液晶パネルと、所定間隔隔てて位置する２つのＸ駆動線あるいはＹ駆動線でもって、表示用のスイッチと複数のスイッチ素子により、閉ループ回路を形成し、位置指示部材２からの電磁波を利用してこれの位置検出を行う装置と、である。
【０００３】
位置検出装置１は、閉ループ回路に誘導電流が発生するよう一端部から電磁波を放出する、該一端部により液晶パネル上での位置を指示するための位置指示部材２と、位置指示部材２から放出された電磁波によりＸ駆動線及びＹ駆動線の閉ループ回路に誘導される起電力の波形に基づいて、位置指示部材２により指示された液晶パネル上での位置の座標を検出する座標検出手段と、を備えている。位置検出装置１では、Ｘ駆動線の閉ループ形成手段は、所定のＸ駆動線の一端同士間に接続された複数のスイッチ素子として、液晶パネルを構成する基板上に形成されたものを有し、Ｙ駆動線の閉ループ形成手段は、所定のＹ駆動線の一端同士間に接続された複数のスイッチ素子として、液晶パネルを構成する基板上に形成されたものを有している。
【０００４】
また、位置検出装置１は、各Ｘ駆動線に接続された入出力端子を有し、表示期間には、各Ｘ駆動線に順次駆動信号を出力し、表示期間に続く位置検出期間には、複数のＸ駆動線のうち所定間隔隔てて位置する２つのＸ駆動線を含むＸ駆動線の閉ループ回路を、液晶パネル一端側から液晶パネル他端側までの、Ｘ駆動線配列方向に沿った所定の各部位にて順次形成する第１の駆動回路（Ｘ駆動・Ｘ電流検出回路）と、各Ｙ駆動線に接続された入出力端子を有し、表示期間には各Ｙ駆動線に順次駆動信号を出力し、位置検出期間には、複数のＹ駆動線のうち所定間隔隔てて位置する２つのＹ駆動線を含むＹ駆動線の閉ループ回路を、液晶パネル一端側から液晶パネル他端側までの、Ｙ駆動線配列方向に沿った所定の各部位にて順次形成する第２の駆動回路（Ｙ駆動・Ｙ電流検出回路）と、を備えている。
【０００５】
こうして、位置検出装置１は、位置検出期間において、位置指示部材２から放出された電磁波により、順次走査されるＸ駆動線及びＹ駆動線の閉ループ回路に誘導される起電力の波形に基づいて、位置指示部材２により指示された液晶パネル上での位置の座標を検出する。
【特許文献１】特開平10-49301号公報
【発明の開示】
【発明が解決しようとする課題】
【０００６】
しかしながら、従来の位置検出装置では、Ｘ駆動線あるいはＹ駆動線の閉ループ回路は、１重の閉ループとなり、２重、もしくは３重以上の多重閉ループを形成することはできず、位置指示部材から発生する電磁波の受信感度などに関して、改善の余地がある。
【課題を解決するための手段】
【０００７】
上記課題に鑑み、本発明の座標入力装置は、互いに交差するよう配置された複数のＸ駆動線及び複数のＹ駆動線を有するマトリクス型の表示装置と、該Ｘ駆動線またはＹ駆動線の少なくとも一端に配置され、所定数のＸ駆動線または所定数のＹ駆動線を切り替え可能に結線して２重以上の閉ループ回路を形成するとともに該閉ループ回路を流れる電流を表示装置の外に導く回路手段と、該表示装置の上に置かれ、表示装置上の位置を指示する部材とを備え、
該位置を指示する部材が、該閉ループ回路との間で電磁誘導を生じる手段を有し、
該回路手段が、該結線を順次切り替えて該閉ループ回路に流れる電流を順次出力することにより、該位置を指示する部材が置かれた表示装置上の位置を検出することを特徴とする。
【０００８】
本発明の上記の回路手段は、Ｘ駆動線及びＹ駆動線と同一の基板層上に形成され得て、駆動線と同時に造りこむことが可能であり、表示駆動と座標検出駆動を切り替える手段を備える構成とできる。こうして、上記の回路手段を汎用の表示駆動装置に造り込むことができる。
【０００９】
また、本発明の上記回路手段と表示駆動と座標検出駆動を切り替える手段を備えた装置を上記表示装置と接続することで座標検出を可能とするよう構成することもできる。こうして、汎用の表示駆動装置を用いることができる。
【発明の効果】
【００１０】
上記のように構成された本発明の座標入力装置によれば、Ｘ駆動線またはＹ駆動線を用いた閉ループ回路を２重以上の多重閉ループにでき、１重の閉ループの場合と比べ、閉ループ回路を多重にすることで位置指示部材から発生する電磁波の受信感度を上げ、センサのＳ／Ｎ比の向上や消費電力の低減が図れる。
【発明を実施するための最良の形態】
【００１１】
本発明の典型的な一実施形態では、複数のＸ駆動線を含む２重以上の多重の閉ループ回路を形成する手段は、一端に表示駆動用の駆動（ドライバ）及び閉ループ形成回路を有しており、他端には閉ループを形成し、位置指示部材からの電磁波による誘導電流を、順次各閉ループ回路を切り替えて出力するスイッチを有しており、駆動線と駆動及び閉ループ形成回路を繋ぐスイッチ回路を備え、該スイッチ回路をONにすることで、駆動線を用いて複数の多重の閉ループ回路を形成する。なお、表示駆動用の駆動及び閉ループ形成回路は、表示駆動と閉ループ形成回路の機能を併せ持ったドライバや回路でもよい。また、駆動線と駆動及び閉ループ形成回路を繋ぐスイッチ回路は、表示駆動のドライバがその役割を担うこととしても良い。Ｘ表示駆動のドライバは、位置検出期間中は、閉ループ回路に起電力が誘導されるように、何らかの手段でＸ駆動線から切り離されるようになっている。
【００１２】
動作において、表示期間中には上記スイッチ回路はOFF状態となり、Ｘ駆動線には一端に繋がれた表示駆動用のドライバから駆動信号が供給される。他方、位置指示部材による位置を検出する検出期間中は、スイッチ回路はON状態となり、複数のＸ駆動線を用いた多重の閉ループ回路が形成され、位置指示部材からの電磁波により誘導された電流を出力する。こうして、Ｘ駆動線の配列方向に形成された複数の多重閉ループ回路からの電流を順次出力し、各閉ループ回路の誘導電流の最大値より、位置指示部材のＸ座標を検出する。
【００１３】
一方、複数のＹ駆動線を含む２重以上の多重の閉ループ回路を形成する手段も、一端に表示駆動用の駆動（ドライバ）及び閉ループ形成回路を有しており、他端には閉ループを形成し、位置指示部材からの電磁波による誘導電流を、順次各閉ループ回路を切り替えて出力するスイッチを有しており、駆動線と駆動及び閉ループ形成回路を繋ぐスイッチ回路を備え、該スイッチ回路をONにすることで、駆動線を用いて複数の多重の閉ループ回路を形成する。ここでも、表示駆動用の駆動及び閉ループ形成回路は、表示駆動と閉ループ形成回路の機能を併せ持ったドライバや回路でもよい。また、駆動線と駆動及び閉ループ形成回路を繋ぐスイッチ回路は、表示駆動のドライバがその役割を担うこととしても良い。さらに、Ｙ表示駆動のドライバは、位置検出期間中は、閉ループ回路に起電力が誘導されるように、何らかの手段でＹ駆動線から切り離されるようになっている。
【００１４】
ここでの動作においても、表示期間中には上記スイッチ回路はOFF状態となり、Ｙ駆動線には一端に繋がれた表示駆動用のドライバから駆動信号が供給される。また、位置指示部材による位置を検出する検出期間中は、スイッチ回路はON状態となり、複数のＹ駆動線を用いた多重の閉ループ回路が形成され、位置指示部材からの電磁波により誘導された電流を出力する。こうして、Ｙ駆動線の配列方向に形成された複数の多重閉ループ回路からの電流を順次出力し、各閉ループ回路の誘導電流の最大値より、位置指示部材のＹ座標を検出する。
【実施例】
【００１５】
以下に、本発明の具体的な実施例を図に沿って説明する。
図１は本発明の第一の実施例を示すもので、電磁誘導方式の座標入力装置の構成例を説明するための図である。図１において、10は、アクティブマトリクス型の液晶パネル11を有する電磁誘導方式の座標入力装置である。この液晶パネル11は、従来のものと同様、互いに直交するよう配置された複数のＸ駆動線Ｘ1〜Ｘm及び複数のＹ駆動線Ｙ1〜Ｙnを有し、それらの駆動線の交点にトランジスタまたはダイオードなどのアクティブ素子と、液晶画素とが配置されている。以下、液晶パネルを例にして説明するが、液晶表示装置以外でも、電気泳動表示装置、ＥＬディスプレイ、プラズマディスプレイなど、ＸとＹの直交する駆動線でマトリクス表示を構成するものであれば本発明が適用できることは以下の説明から理解できよう。
【００１６】
Ｘ駆動線の一端には、Ｘ駆動回路24とそれをＸ駆動線に接続するスイッチ回路25に加えて、ｍ本のＸ駆動線に対応したｍ個の端子を持ち、後述する方法でそれらを結線した回路20（以下第１閉ループ形成回路という）と、この閉ループ形成回路20とＸ駆動線の間を開閉する第１スイッチ回路22とが配置されている。このうち、少なくとも、第１閉ループ形成回路20とスイッチ回路22とは、液晶パネル11を構成するアクティブマトリクス基板と同一基板上に設けられている。Ｘ駆動回路は別の回路基板上にあってもよいが、液晶パネルと同一基板上に実装されたＩＣチップ、またはＴＦＴ回路であってもよい。
【００１７】
さらに、Ｘ駆動線の他の端には、同じくｍ本のＸ駆動線に対応したｍ個の端子を持ち、それらを第1の閉ループ形成回路22に対応して後述のように結線し、かつループの端をスイッチを介して外部に導く回路21（以下第２閉ループ形成回路という）と、この閉ループ形成回路21とＸ駆動線の間を開閉する第２スイッチ回路23とが、液晶パネルと同一基板上に配置されている。
【００１８】
これらの第１、第２の閉ループ形成回路20、21とスイッチ回路22、23によって閉ループが形成される。本発明で言う閉ループとは、図２に示すように、表示パネル上でループが形成され、２つの端子が外部に取り出された回路であって、後述の交流電源と電流検出回路を含めて閉じた回路を構成するものである。まったく同様にＹ駆動線に対しても、一方の端に、Ｙ駆動回路34とスイッチ回路35、第１閉ループ形成回路30および第１スイッチ回路33が配置されて、もう一方の端に第２閉ループ形成回路31および第２スイッチ回路32が配置されている。
【００１９】
以下、Ｘ駆動線に配置されたこれらの回路について説明するが、Ｙ駆動線についてもまったく同様である。
【００２０】
第１と第２の閉ループ形成回路20、21は、ｍ本のＸ駆動線Ｘ1〜Ｘｍに対応するｍ個の端子と、それらを繋ぐ内部配線からなっている。２重の閉ループを構成するときは、第1の閉ループ形成回路の内部配線は、Ｘ１とＸ７を繋ぎ、Ｘ２とＸ８を繋ぐ。これに対応して第２の閉ループ形成回路23の内部配線はＸ７とＸ２を繋ぎ、Ｘ１とＸ８を外部に導くスイッチ端子に繋ぐ。その結果、Ｘ１,Ｘ２,Ｘ７,Ｘ８の４本の駆動線から２重の閉ループが形成される。第２閉ループ形成回路の結線は必ずしも上のように内側の２本が接続され、外側の２本が取り出し端子になる必要はなく、任意に設定されてよい。他のＸ駆動線の中から選ばれた４本が同様にして接続され、また他の４本が接続され、これを繰り返してＸ駆動線全体にわたって結線する。
【００２１】
この接続は、Ｘ駆動線全体にわたって閉ループが好ましくは均等に分布するように構成される。たとえば、４本のＸ駆動線を、上のようにＸｉ，Ｘｉ＋１，Ｘｉ＋６，Ｘｉ＋７と４本を間に挟んで選択して閉ループをつくり、その間にある４本のうち、下の２本が次の閉ループを構成する（すなわちＸｉ+４,Ｘｉ+５,Ｘｉ+１０,Ｘｉ+１１の４本で閉ループを構成する）ように選ぶと、４ラインごとに入れ子構造の閉ループ列が構成される。
【００２２】
一般に、均等間隔で閉ループ列を構成したいときは、閉ループ列のピッチをａとすると、１つの閉ループの大きさ（間に挟むラインの数で定義する）ｂは、ａの整数倍の前の３整数（ｋａ−３，ｋａ−２，ｋａ−１;ｋは整数）以外から選ばれることは容易に推測できよう。３重の閉ループをつくることも、或いはそれ以上の多重閉ループをつくることも同様に可能である。
【００２３】
閉ループ形成回路20、21とＸ駆動線の間を開閉するスイッチ回路22、23は、閉ループを構成する4本（２重ループの場合）を順次選んで閉ループ回路とＸ駆動線を接続する。これに同期して、第２閉ループ形成回路の外部取り出し用スイッチも順次オンになり、閉ループ回路の電流を外部端子に導く。外部端子には、不図示の交流電源と誘導電流を検出する回路が直列に接続されている。これらのスイッチ回路22、23の開閉と、誘導電流検出回路の検出タイミングは、制御回路（不図示）によって制御されている。閉ループはＹ駆動線に対しても同様に形成され、順次切り替えられる。Ｘ座標のみ、またはＹ座標のみ検出すればよい場合は、ＸＹいずれか一方の閉ループ形成のみでよいことは言うまでもない。
【００２４】
表示パネルの上に入力用のペンなど座標位置を指示する部材を置き、それによって誘導電流が変化すると、その位置が検出できる。この検出原理は、特許文献１と同様であって、入力ペンには誘導コイルが内蔵されて、これに閉ループに印加された交流の誘導電流が流れ、その反作用として、閉ループに誘導起電力が生じ閉ループを流れる電流が変化する。これを検出することにより、入力ペンの位置を知るものである。
【００２５】
先述のとおり、Ｘ駆動線の一端には、スイッチ回路25と、従来のものと同様な表示駆動用のＸ駆動回路24と、Ｙ駆動線の一端には、スイッチ回路35と、従来のものと同様な表示駆動用のＹ駆動回路34が設けられている。なお、Ｘ駆動回路24が、接続されているＸ駆動線と該Ｘ駆動回路24を切断する機能を有している場合は、スイッチ回路25は必要が無い。同じく、Ｙ駆動回路34が、接続されているＹ駆動線と該Ｙ駆動回路34を切断する機能を有している場合は、スイッチ回路35は必要が無い。
【００２６】
本発明の座標入力装置は、表示パネルを備えているが、表示動作と座標入力動作は時分割で行われる。すなわち、スイッチ回路22、23及びスイッチ回路32、33は、それぞれ、表示駆動回路24及び34からの駆動信号入力時にはOFFとなり、他方、座標入力のセンシング時にはONとなりＸ駆動線の配列方向及びＹ駆動線の配列方向に複数の多重閉ループ回路を形成し、誘導電流を出力する。このとき、スイッチ回路25及び35によって、Ｘ駆動回路24及びＹ駆動回路34とＸ駆動線及びＹ駆動線は切断された状態にあって、上記誘導電流の出力を可能とする。
【００２７】
従来の１重の閉ループ回路に比べると、２重閉ループの場合、同一電磁波強度では誘導電流が２倍に増加するため、センシングのＳ／Ｎの向上が図れる。また、電磁波強度が小さい場合においても、センシング可能な誘導電流を発生させることが可能であり、位置指示部材における電磁波を発生するための消費電力の低減が図れる。
【００２８】
図３は本発明の第二の実施例を示すもので、電磁誘導方式の座標入力装置の別の構成例を説明するための図である。図３において、50は、アクティブマトリクス型の液晶パネル51を有する電磁誘導方式の座標入力装置である。この液晶パネル51は、従来のものと同様、互いに直交するよう配置された複数のＸ駆動線Ｘ1〜Ｘm及び複数のＹ駆動線Ｙ1〜Ｙnを有している。
【００２９】
そして、本実施例の座標入力装置50は、Ｘ駆動線の一端に、表示駆動用のＸ駆動回路と、４本のＸ駆動線を用いて２重閉ループを形成する閉ループ形成回路の機能を併せ持つＸ駆動・Ｘ閉ループ形成回路60を有し、Ｙ駆動線の一端に、表示駆動用のＹ駆動回路と、４本のＹ駆動線を用いて２重閉ループを形成する閉ループ形成回路の機能を併せ持つＹ駆動・Ｙ閉ループ形成回路70を有している。
【００３０】
また、Ｘ駆動線の他端側に、４本のＸ駆動線を用いて２重閉ループを形成し、位置指示部材からの電磁波による誘導電流を、Ｘ駆動線の配列方向に形成された複数の２重閉ループから、順次出力することができるマルチプレクサのような回路61を備え、Ｙ駆動線の他端側に、４本のＹ駆動線を用いて２重閉ループを形成し、位置指示部材からの電磁波による誘導電流を、Ｙ駆動線の配列方向に形成された複数の２重閉ループから、順次出力することができるマルチプレクサのような回路71を備える。これらの回路61、71は、液晶パネル51を構成するアクティブマトリクス基板と同一基板上にある。
【００３１】
また、閉ループを形成し誘導電流を出力する回路61とＸ駆動線を接続するスイッチ回路62と、閉ループを形成し誘導電流を出力する回路71とＹ駆動線を接続するスイッチ回路72を、液晶パネル51に有している。
【００３２】
スイッチ回路62及びスイッチ回路72は、それぞれ、Ｘ駆動・Ｘ閉ループ形成回路60及びＹ駆動・Ｙ閉ループ形成回路70と同期し、液晶パネル51の表示駆動時にはOFFとなり、同じく、Ｘ駆動・Ｘ閉ループ形成回路60及びＹ駆動・Ｙ閉ループ形成回路70と同期し、座標入力のセンシング時にはONとなりＸ駆動線の配列方向及びＹ駆動線の配列方向に複数の閉ループ回路を形成し、誘導電流を出力する。本実施例でも、センシング時には、回路60、70内の何らかの手段により、Ｘ駆動回路部分及びＹ駆動回路部分とＸ駆動線及びＹ駆動線は切断された状態にされて、上記誘導電流の出力を可能とする。
【００３３】
本実施例によっても、従来の１重の閉ループ回路に比べ、同一電磁波強度では誘導電流が増加するため、センシングのＳ／Ｎの向上が図れる。また、電磁波強度が小さい場合においても、センシング可能な誘導電流を発生させることが可能であり、電磁波を発生するための消費電力の低減が図れる。
【００３４】
次に、アクティブマトリックス基板を用いた電気泳動型表示パネル（メモリー性を有する）を有する電磁誘導方式の座標入力装置に係わる本発明の第三の実施例を説明する。この座標入力装置の全体構成も図３に示されたものと同じである。
【００３５】
本実施例で用いるメモリー性を有した電気泳動型表示パネル51について説明する。図４は、電気泳動型表示装置の画素断面を示す模式図である。画素を有する表示部は、ＴＦＴ素子のドレインに接続する駆動電極111、全画素共通で駆動する共通電極112、正に帯電した黒色帯電泳動粒子113、液体と複数の帯電泳動粒子113とを含む分散液114、絶縁性反射層115を備える。共通電極112は接地され、駆動電極111に正電圧（+Ｖ１）を印加すると、正に帯電した黒色帯電粒子113は共通電極112付近に集まり、底面の反射層115が露出する（白状態）。逆に、駆動電極111に負電圧（−Ｖ１）を印加すると、正に帯電した黒色帯電粒子113は駆動電極111付近に集まり、底面の反射層115を覆った状態になる（黒状態）。一旦、白状態及び黒状態になった画素は、上記電極間に０Ｖを印加しても状態はそのまま保持される。
【００３６】
本実施例において、電気泳動型表示パネル51以外の構成に関しては、第二の実施例と同様であるので説明は省略する。
【００３７】
上記実施例では、ＴＦＴ素子などのスイッチング素子を含む画素回路を備えていて、複数の画素回路の各々がデータ線と走査線（Ｘ駆動線とＹ駆動線）の交差部に対応して配置されているアクティブマトリクス駆動方式の座標入力兼表示装置の例を説明したが、本発明は、単純マトリクス駆動方式などの座標入力兼表示装置にも適用できる。単純マトリクス駆動方式では、複数のライン状の第１の電極と複数のライン状の第２の電極（Ｘ駆動線とＹ駆動線に相当する）を交差させて交差点の所に画素を設けて、交差点の各画素に選択的に電気的作用を及ぼして駆動・制御する。
【図面の簡単な説明】
【００３８】
【図１】本発明の一実施例による、液晶パネルを用いた電磁誘導方式の座標入力装置の構成を説明するための図である。
【図２】本発明の実施例における２重の閉ループ回路を示す図である。
【図３】本発明の他の実施例による、液晶パネルまたは電気泳動型表示パネルを用いた電磁誘導方式の座標入力装置の構成を説明するための図である。
【図４】本発明の実施例の電気泳動型表示パネルの画素断面を示す模式図である。
【図５】従来の技術を説明するための図である。
【符号の説明】
【００３９】
10，50  座標入力装置
11，51  表示パネル（表示装置）
20，30  多重閉ループ形成回路（閉ループ形成手段）
21，31，61，71  多重閉ループを形成し、回路を切り替えて誘導電流を出力する回路（閉ループ形成手段）
22，23，32，33，62，72  スイッチ回路（閉ループ形成手段）
24，34  表示駆動回路
60，70  表示駆動及び多重閉ループ形成回路
【図１】
2005352572.tif 000003
【図２】
2005352572.tif 000004
【図３】
2005352572.tif 000005
【図５】
2005352572.tif 000006
【図４】
2005352572.tif 000007